(57)【要約】【課題】プリンタは製造時に高画質が得られるように調整されるが輸送等における扱いにより本体フレームに歪みが発生して位置精度に狂いが生じ、高画質が得られなくなる。【解決手段】画像記録位置には、ヘッドホルダを主走査方向に貫通し、一方の切削された先端に切欠と突出部を有する係止部が設けられた支持軸の両端を本体フレームの開口に係合するように固定し、副走査方向に移動可能な支持リングの１点により鉛直方向に対して３点支持し、輸送時には、本体フレームの開口部に切削された先端を宛がい、あそびを持つように係止部を保持させて、本体フレームにヘッドホルダの隅が主走査方向及び副走査方向にフリー状態となるように１点で固定することにより、本体フレームに加わる外力を移動によりヘッドホルダへの影響を排除する画像記録装置である。【選択図】    図１
2010052177.tif 000002
【特許請求の範囲】
【請求項１】
本体フレームと、
前記本体フレームに内設され、インクを吐出する記録ヘッドを水平方向に保持及び固定するヘッドホルダと、
前記ヘッドホルダを前記本体フレーム内に３点で支持する支持部材と、
を有し、
前記支持部材は、前記３点のうち２点によって前記ヘッドホルダと前記本体フレームとを固定し、残りの１点を前記本体フレームに対して前記ヘッドホルダが前記水平方向に移動可能となるように支持し、画像記録時と装置移動時で、前記ヘッドホルダと前記本体フレームとを固定する２箇所の位置を可変させることを特徴とする画像記録装置。
【請求項２】
前記本体フレームは、少なくとも前フレーム、後フレーム及び、前記前フレームと前記後フレーム間を架設する架設フレーム、を備え、
前記ヘッドホルダは、前記前フレーム、前記後フレーム及び前記架設フレームの３点で支持され、
画像記録時は、前記ヘッドホルダを前記前フレームと前記後フレームとの２点で固定し、もう１点を水平方向に移動可能に前記架設フレームに支持させ、
装置移動時は、前記ヘッドホルダを前記前フレーム、又は前記後フレームのどちらか一方と前記架設フレームとの２点で固定し、もう１点を水平方向に移動可能に前記前フレーム、又は前記後フレームの一方に支持させることを特徴とする請求項１に記載の画像記録装置。
【請求項３】
前記装置移動時には、前記ヘッドホルダを前記前フレーム又は前記後フレームのいずれかに当接させることを特徴とする請求項２に記載の画像記録装置。
【請求項４】
前記支持部材は、支持軸と回転リングで構成され、前記支持軸が前記ヘッドホルダを貫通して、該ヘッドホルダを前記前フレームと前記後フレームの２点で支持し、前記回転リングが前記ヘッドホルダを前記架設フレーム上に移動可能に支持することを特徴とする請求項２に記載の画像記録装置。
【請求項５】
前記支持軸の一端は、支持軸の軸体が平行な２方向から先端部分が切削されて、１つの切削面に係止部材が設けられ、他端に操作部材が設けられ、
前記前フレーム又は前記後フレームのいずれかに係止受け部が設けられ、
前記画像記録時は、前記係止部材と前記係止受け部が係合して、前記ヘッドホルダと本体フレームを前記２点で固定し、
前記装置移動時は、前記操作部材を操作して前記支持軸を回転させることにより前記係合を解除して、前記支持軸の軸方向に移動させることで前記ヘッドホルダを前記前フレーム又は前記後フレームのいずれかに当接させることを特徴とする請求項４に記載の画像記録装置。
【請求項６】
前記係止部材は、複数の突起部と複数の切欠部により構成され、
前記係止受け部は、前記前フレームと前記後フレームの何れか一方のフレームに開口される、前記支持軸の軸体が通過する開口及び、該開口から延出し前記突起部が通過する溝穴からなる鍵穴により構成され、
前記操作部材を操作して、前記支持軸を回転及び摺動し、前記突起部が前記溝穴に嵌合し且つ、前記先端部分が前記開口に嵌合する状態を保持し、前記支持軸の軸方向と直交する方向に移動範囲を有するように保持することを特徴とする請求項５に記載の画像記録装置。
【請求項７】
対向する前フレームと後フレームを備える本体フレームと、
前記前フレームと前記後フレームとに横架するガイドレールと、
少なくとも１つのインクを吐出する記録ヘッドを底面に配設し、前記本体フレームに内設される枠形状のヘッドホルダと、
前記ヘッドホルダの端側を前記横架する方向に貫通して、前記前フレーム及び前記後フレームに形成された開口部に２点で掛架し、軸体の一端には切削された切削面に係止部が配置された先端部が設けられ、該軸体の他端には軸装された操作部材が設けられた支持軸と、
前記ヘッドホルダにおける前記支持軸の設置位置とは反対側で前記支持軸と直交する方向に延出して１点で前記ガイドレールに移動可能に載置される可動支持部と、を備え、
画像記録時には前記開口部に前記支持軸の軸体を密に嵌合して前記係止部で係止し、装置移動時には前記係止を解除して前記支持軸をその軸方向に移動させて、前記開口部に前記先端部を摺動可能に保持し、前記切削面と前記開口部との間に生じた隙間による前記横架する方向と直交する移動可能範囲を有するように保持することを特徴とする画像記録装置。
【発明の詳細な説明】
【技術分野】
【０００１】
本発明は、装置移動時に、記録媒体にインクを吐出して画像を記録する記録ヘッドを固定するように保持する保持機構を備える画像記録装置に関する。
【背景技術】
【０００２】
一般に、記録紙等の記録媒体に画像を記録する画像記録装置として、記録媒体にノズルからインク滴を吐出して画像を記録するインクジェット方式の記録装置が知られている。
【０００３】
このインクジェットプリンタの記録方式としては、主として２タイプが知られている。その１つとして、記録媒体の幅方向に（主走査方向）に反復するように走査移動するキャリッジに小型の記録ヘッドを搭載し、走査移動しながらインクを吐出するシリアル方式である。他には、記録幅（ノズル列の長さ）が記録媒体の幅以上となるライン型記録ヘッドを記録媒体と対向するようにヘッドホルダに固定し、紙送りされる記録媒体にインクを吐出するフルライン方式が知られている。近年では、記録速度の高速化がより強く望まれており、これに伴ってフルライン方式の画像記録装置（ライン型プリンタ）の発明が数多く提案されている。
【０００４】
このようなライン型プリンタにおいて、例えば特許文献１には、輸送時に加わる振動や衝撃を考慮して、ヘッドホルダを装置フレームに固定する方法が開示されている。
【０００５】
この特許文献１におけるインクジェット記録装置は、記録媒体の搬送方向に沿って、Ｃ（シアン）、Ｍ（マゼンタ）、Ｙ（イエロー）、Ｋ（ブラック）の各色に加え、フォトシアン及びフォトマゼンタの６種類のインクをそれぞれ吐出する６つの記録ヘッドがヘッドホルダに保持されている。
【０００６】
このヘッドホルダは、装置のフロントカバー側に設けられたロックレバーをロック位置及び解除位置に切り換えることにより装置フレームに固定される。つまり、輸送時には、ロックレバーをロック位置に移動させることで、ロックレバーに設けられた歯とヘッドホルダロックフランジに設けられた歯とが係合し、ヘッドホルダが移動できない固定状態となっている。
【特許文献１】特開２００５−２９７４４４号公報
【発明の開示】
【発明が解決しようとする課題】
【０００７】
通常、装置輸送中においては、平面的な移動だけではなく、段差を越えたり、持ち上げたりする移動を含んでいる。この時に、さまざまな方向から装置フレームに外力が加わるため、装置フレームが歪む恐れがある。
【０００８】
しかしながら、前述した特許文献１におけるインクジェット記録装置は、ヘッドホルダが装置フレームに対して４点であそび等が無く固定されているため、装置フレームが歪んだ際に、この歪みが直接ヘッドホルダに影響を与えてしまう。すなわち、ヘッドホルダも装置フレームの歪みに倣って歪んでしまう。
【０００９】
ライン型プリンタでは、各記録ヘッドから吐出されたインクを記録媒体の所望の位置に着弾させるために各記録ヘッドをヘッドホルダの所定の位置に位置決め固定しているが、このヘッドホルダに歪みが生じると、各記録ヘッドの位置がずれ、結果としてインクの着弾位置ズレが発生し、色ずれ等の画質不良を招くことになる。
【００１０】
そこで本発明は、輸送時等に外的条件が加わり装置フレームに歪みが生じても、ヘッドホルダに影響を与えることがない画像記録装置を提供することを目的とする。
【課題を解決するための手段】
【００１１】
本発明の画像記録装置は、上記目的を達成するために、本体フレームと、前記本体フレームに内設され、インクを吐出する記録ヘッドを水平方向に保持及び固定するヘッドホルダと、前記ヘッドホルダを前記本体フレーム内に３点で支持する支持部材と、を有し、前記支持部材は、前記３点のうち２点によって前記ヘッドホルダと前記本体フレームとを固定し、残りの１点を前記本体フレームに対して前記ヘッドホルダが前記水平方向に移動可能となるように支持し、画像記録時と装置移動時で、前記ヘッドホルダと前記本体フレームとを固定する２箇所の位置を可変させる。また、本発明の画像記録装置は、対向する前フレームと後フレームを備える本体フレームと、前記前フレームと前記後フレームとに横架するガイドレールと、少なくとも１つのインクを吐出する記録ヘッドを底面に配設し、前記本体フレームに内設される枠形状のヘッドホルダと、前記ヘッドホルダの端側を前記横架する方向に貫通して、前記前フレーム及び前記後フレームに形成された開口部に２点で掛架し、軸体の一端には切削された切削面に係止部が配置された先端部が設けられ、該軸体の他端には軸装された操作部材が設けられた支持軸と、前記ヘッドホルダにおける前記支持軸の設置位置とは反対側で前記支持軸と直交する方向に延出して１点で前記ガイドレールに移動可能に載置される可動支持部と、を備え、画像記録時には前記開口部に前記支持軸の軸体を密に嵌合して前記係止部で係止し、装置移動時には前記係止を解除して前記支持軸をその軸方向に移動させて、前記開口部に前記先端部を摺動可能に保持し、前記切削面と前記開口部との間に生じた隙間による前記横架する方向と直交する移動可能範囲を有するように保持する。
【発明の効果】
【００１２】
本発明によれば、輸送時等に外的条件が加わり装置フレームに歪みが生じても、ヘッドホルダに影響を与えることがない画像記録装置を提供することができる。
【発明を実施するための最良の形態】
【００１３】
以下、図面を参照して本発明の実施形態について詳細に説明する。  
図１乃至図７を用いて、本発明の一実施形態に係る画像記録装置の構成について説明する。ここで、図１は、本実施形態に係る画像記録装置の構成を示す側面図である。図２は、画像記録装置の本体フレームの外観構成を示した図である。図３は、複数の記録ヘッドが設けられるヘッドホルダを斜め上から見た外観構成を示した図である。図４は、本体フレーム及びヘッドホルダを上方向から見た上面図である。図５は、支持軸の一端側を拡大した図である。図６は、支持軸の他端側を拡大した図である。図７は、支持リングを拡大した図である。尚、各図面において、画像形成装置における記録媒体の搬送方向をＸ軸方向又は副走査方向とし、この搬送方向と直交する方向をＹ軸方向又は主走査方向又は記録媒体の幅方向としている。Ｘ軸及びＹ軸方向に直交する方向をＺ軸方向又は上下方向とする。
【００１４】
まず、図１に示すように、本実施形態の画像記録装置１は、大別して、記録媒体供給部２、画像記録部３、搬送機構４、昇降機構５、記録媒体排出部６及び本体フレーム１００で構成されている。尚、画像記録装置においては、他にも、操作パネル、表示部、インク供給機構、メンテナンス機構及び通信機能等の周知な他の構成部位についても実際は備えているが、本発明の要旨とならない構成部位については、図示及び説明を省略している。
【００１５】
記録媒体供給部２は、図２に示す本体フレーム１００における搬送方向（Ｘ軸方向）の上流側に、供給トレイ１１が着脱可能に取り付けられている。この供給トレイ１１には、多数のカット用紙である記録媒体１２が装填されている。供給トレイ１１の排出部近辺には、記録媒体１２と当接するように、ピックアップローラ１３が設けられている。このピックアップローラ１３は、図示しない駆動系により回転されて、供給トレイ１１内に収容されている記録媒体１２を１枚ずつ取り出して搬送機構４の上流側に受け渡しを行っている。
【００１６】
画像記録部３は、図３及び図４に示すヘッドホルダ２１に、搬送方向上流側から順に、ブラック、シアン、マゼンタ、イエローのインク滴をそれぞれに吐出する記録ヘッド２２（２２ｋ、２２ｃ、２２ｍ、２２ｙ）を装着する。本実施形態の記録ヘッドは、記録幅（ノズル列長）が記録媒体の幅に満たない短尺ヘッドを複数用いている。そのため、図４に示すように、記録媒体１２の幅以上となるように、Ｙ軸方向に沿って交互（搬送方向に対しては前後）の２列に千鳥状になるように複数の装着スペース２１ａが開口されている。これらの装着スペース２１ａに記録ヘッドを配置している。このように各記録ヘッド２２（２２ｋ、２２ｃ、２２ｍ、２２ｙ）は、１色あたり６個の短尺ヘッドが設けられている。
【００１７】
また、図１に示すように、ヘッドホルダ２１に装着された記録ヘッド２２は、搬送機構４におけるベルトプラテン１５のベルト３４の上方近傍で対向するように近接して配置されている。
【００１８】
搬送機構４は、主として、レジストローラ対１４（１４ａ、１４ｂ）と、ベルトプラテン１５とで構成される。このレジストローラ対１４は、記録媒体１２の搬送路延長線上で当接しており、ピックアップローラ１３から供給された記録媒体１２の姿勢を直して、斜行等を防止する。また、レジストローラ対１４は、ベルトプラテン１５に記録媒体１２を搬送するための搬送タイミングを調整する。
【００１９】
また、レジストローラ対１４の前後（搬送経路の上下流側）には、上レジストガイド１６ａ及び下レジストガイド１６ｂが設けられている。これらは、ヘッドホルダ２１に固定され、レジストローラ対１４も同じくヘッドホルダ２１に回転可能に保持されている。尚、レジストローラ対１４は、レジストモータ２０により回転駆動される。
【００２０】
ベルトプラテン１５は、プラテンフレーム３０に回転可能に支持される駆動ローラ３１、従動ローラ３２及びテンションローラ３３の３つのローラに無端のベルト３４が捲回されている。このベルト３４は、無数の孔（図示せず）が設けられ、搬送対象となる記録媒体の幅以上の幅を有している。また、プラテンフレーム３０には、多数の孔が開いた板部材のプラテン３５が設けられ、このプラテン３５の下方には、吸引フアン３６ａ及び３６ｂが設けられている。
【００２１】
上循環部となる駆動ローラ３１と従動ローラ３２との間は、記録ヘッドと対向している記録媒体搬送面を形成する。テンションローラ３３は、ベルト３４の下方内側の下循環部に配置され、調整可能なばね等によりベルト３４を外側に押し付勢することにより、ベルト３４の捲回状態にテンションを与えて張設させている。この構成により、記録媒体１２は、駆動する吸引フアン３６ａ及び３６ｂによる負圧によって、ベルト３４に吸着された状態で、ベルト３４の回転に伴って、インクを吐出する画像記録部３のノズル前方を搬送されて、画像が記録される。
【００２２】
昇降機構５は、４個の昇降アーム４１（４１ａ、４１ｂ、４１ｃ、４１ｄ）と、これらの昇降アーム４１の一端（後端）を中心として回動させる駆動部（図示せず）とで構成される。昇降アーム４１の他端（先端）には、コロ４２（４２ａ、４２ｂ、４２ｃ、４２ｄ）が設けられている。昇降アーム４１は、プラテンフレーム３０の下端縁にコロ４２を当接させた状態でベルトプラテン１５を支持している。
【００２３】
そして、昇降機構５は、昇降アーム４１の回動によりベルトプラテン１５を昇降させる。つまり、昇降アーム４１が鉛直位置（図１おける実線）と水平位置（図１おける破線）との間を回動することでコロ２１がプラテンフレーム３０の下端縁に滑接しながら移動し、プラテンフレーム３０（ベルトプラテン１５）を昇降させる。
【００２４】
このように４個の昇降アーム４１が回動により鉛直位置である立設状態になったとき、画像記録位置となる。この時、ベルトプラテン１５の位置と、記録ヘッド２２ｋ、２２ｃ、２２ｍ、２２ｙの位置とは、図示していないが、突き当て部材により適正距離となっている。これにより、記録ヘッド２２ｋ、２２ｃ、２２ｍ、２２ｙのノズル面（インク液噴出面）から吐出されるインク滴によってベルトプラテン１５上を搬送される記録媒体１２に正しく画像が形成される。
【００２５】
記録媒体排出部６は、ベルトプラテン１５の下流に配置される排出ローラ対３７と、排出ローラ対３７から排出された記録媒体１２を収容する収容トレイ３８とで構成される。尚、収容トレイ３８は、複数のトレイを備えて、スタック機能やソート機能を有してもよい。  
本実施形態の画像形成装置は、電源の投入により、各構成部位が起動して、設定事項や確認事項に基づく初期設定が行われる。この初期設定時には、インク量のチェック、ベルトプラテン１５の位置調整又は位置確認などが行われる。
【００２６】
画像記録の指示により、供給トレイ１１からピックアップローラ１３が記録媒体１２を１枚単位で取り出し、レジストローラ対１４により記録媒体１２の姿勢を補正する。
【００２７】
姿勢補正された記録媒体１２は、ベルトプラテン１５に受け渡されて、吸引フアン３６ａ及び３６ｂによる負圧によって、ベルト３４に吸着される。その後、記録媒体１２はベルト３４の回転に伴い、インクを吐出する画像記録部３のノズル前方を通過する。その通過時に、インクが吐出されて画像が記録される。画像が記録された記録媒体１２は、排出ローラ対３７により収容トレイ３８に収容される。
【００２８】
次に、図２乃至図４を参照して、ヘッドホルダ２１及びヘッドホルダ２１を本体フレーム１００に固定するロック構造について説明する。  
まず、図２に示すように、本体フレーム１００は、フロント側フレーム（以下、前フレームと称する）１００ａとリア側フレーム（以下、後フレームと称する）１００ｂと架設フレーム１００ｃ（以下、ガイドレールと称す）、及び複数の補強ステーが、ネジ止め又は溶接により接続されて構成されている。また図３及び図４に示すように、ヘッドホルダ２１の上流側側面には、軸方向がＹ軸方向に沿って貫通して配置される支持軸５１が設けられ、下流側の略中央には、前記支持軸と直交する方向に延出する可動支持部（支持リング）５２が設けられている。尚、ヘッドホルダ２１は、同様にレジストローラ対５も軸方向がＹ軸方向になるように保持している。
【００２９】
この支持軸５１は、その一端５１ａが前フレーム１００ａを貫通して支持され、他端５１ｂが後フレーム１００ｂを貫通して支持されている。支持リング５２は、図７に示すように、ガイドレール１００ｃの一部に切れ込みを入れて折り曲げて形成された支持部１００ｄの上面に移動可能に載置されている。
【００３０】
このようにヘッドホルダ２１は、支持軸５１の両端及び支持リング５２の３箇所による３点支持の構成で本体フレーム１００に支持される。これらの支持軸５１及び支持リング５２は、ヘッドホルダ２１とそれに付随する各部品の総重量に耐え得る剛性（強度）を有し、支持部材としての機能を果たしている。
【００３１】
図５乃至図７は、支持軸５１の両端（一端５１ａ、他端５１ｂ）及び支持リング５２周辺を詳細に示した図である。  
図５は、支持軸５１の一端５１ａ側の構成を詳細に示した図である。  
一端５１ａ側は、ヘッドホルダ２１を貫通して前フレーム１００ａによって支持されている。この支持軸５１は、ヘッドホルダ２１及び前フレーム１００ａに対して軸方向及び円周方向に摺動可能となるように支持されている。また、支持軸５１の一端５１ａには、ハンドル５３が嵌着されている。このハンドル５３を後述するように回動、若しくは押し引きすることにより、連結する支持軸５１が一体的に軸まわり方向に回動、若しくは軸方向に摺動される。
【００３２】
図６（ａ）乃至（ｃ）は、支持軸５１の他端５１ｂ側の構成を詳細に示した図である。尚、図６（ａ）において、後フレーム１００ｂは、以下の説明を理解しやすくするために、円盤状に切り出した形状で示している。
【００３３】
他端５１ｂ側においても、一端５１ａ側と同様に、ヘッドホルダ２１を貫通して後フレーム１００ｂによって支持されている。また、ヘッドホルダ２１及び後フレーム１００ｂに対して軸方向及び円周方向に摺動可能となるように支持されている。
【００３４】
図６（ｂ）に示すように、この他端５１ｂの先端側は、支持軸５１の直径Ｄの一方から高さＥ、他方から高さＦだけ、両側が切削された先端部５５が設けられている。先端部５５は、Ｆ切削面５５ａがＥ切削面５５ｂより大きく（軸方向に長く）なるように切削され、切削部分は厚み（Ｄ−Ｅ−Ｆ）の平坦な板形状となっている。
【００３５】
このＦ切削面５５ａには、図１０（ｃ）に示すように、Ｌ字形部材の係止部５４が設けられている。係止部５４は、Ｆ切削面５５ａへ固定するＬ字一辺の固定部５４ａと、他辺の刻み部５４ｂとで構成される。この刻み部５４ｂは、図６（ｂ）に示すように、切欠Ａ，Ｂにより、先端側から突起部５４ｂ１、５４ｂ２、５４ｂ３の３つに分割される。そして、突起部５４ｂ１と突起部５４ｂ２との間に設けられた切欠Ｂは間隔ｂを有し、突起部５４ｂ２と突起部５４ｂ３との間に設けられた切欠Ａは間隔ａを有している。切欠Ａは、ヘッドホルダ２１から突出する位置決め部材２１ｂと係合する。そのため、間隔ａは、位置決め部材２１ｂの厚みと同じ、又はやや大きい幅となっている。切欠Ｂは、後フレーム１００ｂと係合する。そのため、間隔ｂは、後フレーム１００ｂの厚みと同じ、又はやや大きい幅となっている。また、突起部５４ｂ１は、高さＣを有し、突起部５４ｂ２は、高さＨを有し、突起部５４ｂ３は、高さＩを有している。
【００３６】
図６（ｃ）に示すように、後フレーム１００ｂには、係止受け部としてのクランク形状に近い鍵穴１０１が開口されている。この鍵穴１０１は、搬送方向と平行な方向に延びる溝穴部１０１ａと、中央の支持軸５１の軸体が貫通する矩形の開口部１０１ｂとで形成されている。支持軸５１は、開口部１０１ｂに挿入され、この開口部１０１ｂの大きさは、支持軸５１が嵌合し、軸まわり方向に回転及び軸方向に摺動可能な大きさとなっている。そして支持軸５１の他端５１ｂは、後フレーム１００ｂの開口部１０１ｂに嵌合して支持されている。
【００３７】
ここで、溝穴部１０１ａの長さｇは、高さＣよりも長く、高さＨよりも短く設定されている。これにより、突起部５４ｂ１は、溝穴部１０１ａを通過することができるが、突起部５４ｂ２は、溝穴部１０１ａを通過することができない。また、突起部５４ｂ３の高さＩは、突起部５４ｂ２の高さＨよりも低く、ヘッドホルダ２１に設けられた位置決め部材２１ｂと係合可能となる高さを有している。
【００３８】
図７は、支持リング５２の周辺の構成を詳細に示した図である。  
支持リング５２は、ヘッドホルダ２１に対して回転自在に設けられている。ガイドレール１００ｃの一部には、切れ込みを入れて折り曲げて、支持部１００ｄが形成される。支持リング５２は、その支持部１００ｄの上面に移動可能に載置されている。この構成により、支持リング５２は、ヘッドホルダ２１を記録媒体の搬送方向と直交するＹ軸方向に移動可能とする。
【００３９】
そしてヘッドホルダ２１は、図４に示すように、支持軸５１の一端５１ａ、他端５１ｂ、支持リング５２の３点で本体フレーム１００（前フレーム１００ａ、後フレーム１００ｂ、ガイドレール１００ｃ）に対して、記録媒体搬送面と平行となるように支持されている。
【００４０】
次に、本体フレーム１００にヘッドホルダ２１を固定し、保持する構成について説明する。本実施形態では、装置の輸送時における本体フレーム１００の歪み又はねじれによるヘッドホルダ２１への影響を防止する。尚、図８（ａ）乃至図８（ｃ）は、支持軸５１の一端５１ａ（ハンドル５３）の詳細を示し、図９（ａ）乃至図９（ｆ）及び図１０（ａ）乃至図１０（ｄ）は支持軸５１の他端５１ｂの詳細を示す。また、図１１は、支持リング５２の詳細を示す。
【００４１】
まず、画像記録を行う際について説明する。画像記録装置１は、画像記録を行う際には、本体フレーム１００とヘッドホルダ２１とが図４に示すような３点の保持状態となっている。  
支持軸５１の一端５１ａ側は、図５及び図８（ａ）に示すように、ハンドル５３をビス５６により前フレーム１００ａに固定している。これにより、支持軸５１における軸まわり方向及び軸方向への摺動が規制される。
【００４２】
支持軸５１の他端５１ｂ側は、図９（ａ），（ｄ），図１０（ａ），（ｃ）に示すように、係止部５４によって、切欠Ｂは、後フレーム１００ｂと係合し、切欠Ａは、ヘッドホルダ２１と係合している。つまり、後フレーム１００ｂは、突起部５４ｂ１と突起部５４ｂ２とにより挟まれた状態となり、ヘッドホルダ２１に設けられた位置決め部２１ｂは、突起部５４ｂ２と突起部５４ｂ３とにより挟まれた状態となる。このように、係止部５４が本体フレーム１００とヘッドホルダ２１に係合するため、ヘッドホルダ２１は、後フレーム１００ｂに対して支持軸５１の軸方向（Ｙ軸方向：搬送方向と直交する方向）の移動が規制される。
【００４３】
また、図１０（ｃ）に示すように、後フレーム１００ｂに設けられた開口部１０１ｂには、支持軸５１の軸体が嵌装された状態である。前述したように開口部１０１ｂの大きさは、支持軸５１の軸体が軸まわり方向に回動及び軸方向に摺動可能な大きさとなっている
ため、ヘッドホルダ２１は、後フレーム１００ｂに対して搬送方向（Ｘ軸方向）及び上下方向（Ｚ軸方向）の移動が規制されている。この時、支持リング５２は、ガイドレール１００ｃ上に載置されているだけなので水平方向、つまりＹ軸方向に移動可能である。しかし、実質的には支持軸５１が３方向（ＸＹＺ軸方向）で固定されているため、支持リング５２が移動することはない。
【００４４】
このように画像記録時は、本体フレーム１００に対してヘッドホルダ２１は、支持軸５１の両端で固定され、支持リング５２が水平方向、詳細にはＹ軸方向にフリー状態である。そして画像記録時は、ヘッドホルダ２１が本体フレーム１００に対して予め定めた位置関係に固定されているため、記録媒体と記録ヘッドの繊細な位置関係を保持することができる。
【００４５】
次に、画像記録装置の輸送や引越等の移動時に好適する本体フレーム１００へのヘッドホルダ２１の固定状態について説明する。
【００４６】
まず、図８（ａ）に示すハンドル５３を前フレーム１００ａに固定しているビス５６を取り外す。このビス取り外しにより、ハンドル５３がフリー状態となる。そして、図８（ｂ）に示すように、ハンドルをｍ方向に約９０度回転させることにより、ハンドル５３に設けられたストッパ部５３ａが前フレーム１００ａから突出した突起部１００ａ１と当接して停止する。
【００４７】
ハンドル５３の回転に伴い、支持軸５１も一体的に回転し、図９（ａ）に示す他端５１ｂ側の先端部５５が、図９（ｂ）に示すように、約９０度回転し、垂直方向を向いていた係止部５４の刻み部５４ｂが水平方向を向く。つまり、突起部５４ｂ１と溝穴部１０１ａとが対向した位置になる。これにより、係止部５４の切欠Ｂと後フレーム１００ｂとの係合が解除される。つまり、後フレーム１００ｂは、突起部５４ｂ１と突起部５４ｂ２とで挟まれた状態が解除される。この時、図１０（ｂ）に示すように、係止部５４の切欠Ａは、ヘッドホルダ２１（位置決め部２１ｂ）と係合した状態を維持している。つまり、ヘッドホルダ２１に設けられた位置決め部２１ｂは、突起部５４ｂ２と突起部５４ｂ３とで挟まれた状態が維持されている。
【００４８】
次に、図８（ｃ）に示すように、ハンドル５３を外側のｎ方向に引き出す。この引き出し動作によって、支持軸５１もハンドル５３と一体となってｎ方向に引き出される。この時、支持軸の他端５１ｂ側では、前述したように溝穴部１０１ａの長さｇが突起部５４ｂ１の高さＣよりも大きく（長く）開口されているため、突起部５４ｂ１は、溝穴部１０１ａを通過可能となっている。また、ヘッドホルダ２１（位置決め部２１ｂ）は、突起部５４ｂ２と突起部５４ｂ３とで挟まれた状態となっている。
【００４９】
これによりハンドル５３（支持軸５１）をｎ方向に引き出すと、突起部５４ｂ１が溝穴部１０１ａを通過すると共に、ヘッドホルダ２１が前フレーム１００ａ側へと移動する。そして、支持軸５１は、図１２に示すように、ヘッドホルダ２１の側面が前フレーム１００ａに当接する位置まで引き出される。尚、支持軸５１をｎ方向に引き出すことにより支持リング５２は、図１１に示すように、破線の位置から実線の位置まで支持部１００ｄ上を移動する。
【００５０】
図１２に示す位置まで支持軸５１を引き出した際、支持軸５１の他端５１ｂ側は、図９（ｃ），（ｆ）及び図１０（ｄ）の状態となっている。
【００５１】
つまり、支持軸５１の切削面５５ａ，５５ｂが形成された先端部５５が、開口部１０１ｂに位置される。この位置では、図１０（ｄ）に示すように搬送方向（Ｘ軸方向）に対して、支持軸５１の切削面５５ａ，５５ｂと開口部１０１ｂの間に隙間が形成される。したがって、支持軸５１は、搬送方向（Ｘ軸方向）に対して隙間の分だけ移動可能となっている。言い換えれば、ヘッドホルダ２１は、搬送方向（Ｘ軸方向）に対して隙間の分だけ移動可能となっている。尚、図１０（ｄ）に示すように、支持軸５１の先端部５５で切り欠かれない部分が上下方向になっているため、上下方向には、Ｘ軸方向のようなあそびは生じない。
【００５２】
このような支持軸５１の状態が装置の輸送時等における輸送用固定位置となる。この状態を支持軸５１が保持するように固定する。本実施形態では、図１２に示すヘッドホルダ２１を前フレーム１００ａに密着させて、搬送方向における略中央位置Ｐでビス等によって、ヘッドホルダ２１と前フレーム１００ａとを相対移動しないように一箇所を固定する。
【００５３】
つまり、ヘッドホルダ２１を一方のフレームに押し付け、この状態でヘッドホルダ２１を固定する。この保持により、本体フレーム１００に対してヘッドホルダ２１は、支持軸５１の一端５１ａと支持リング５２が固定され、本体前フレーム１００aと本体後フレーム１００ｂに歪みが生じた場合でも本体前フレーム１００aに固定したヘッドホルダ２１は、本体後フレーム１００ｂと支持軸５１の他端５１ｂとの位置関係が水平方向、詳細には搬送方向に対してフリー状態であるため本体前フレーム１００aと本体後フレーム１００ｂの歪みを移動として吸収し、ヘッドホルダ２１の変形を防止することができる。
【００５４】
また、上下方向については固定されているため、輸送時の上下動については規制されている。
【００５５】
以上説明したように、実施形態によれば、ヘッドホルダ２１と本体フレーム１００とは鉛直方向を３点で支持される。３点のうち２点は本体フレーム１００に固定され、他の１点は、ヘッドホルダ２１が本体フレーム１００に対して水平方向に移動可能となるように支持され、輸送時は記録時における水平に移動可能な１点を、他の固定点の２点のうち１点と入れ替えることが可能な状態で支持されている。
【００５６】
これにより、記録時はヘッドホルダ２１以外の部品、他のユニットとヘッドホルダ２１との相対的位置を決めることが可能となり、尚且つ輸送時に、水平方向に移動可能な１点を入れ替えることによって、フレームの歪によるヘッドホルダヘの影響を排除できると共に、フレームの歪みに伴うヘッドホルダの相対移動について自由度が増し、それを許容する装置本体の大きさが不要となるため、装置本体のサイズを小さくすることができる。
【００５７】
さらに、ヘッドホルダ２１は、本体フレーム１００に支持軸の両端、及び支持リング５２による３点で支持しているため、接触面積を可及的に小さくすることができる。これにより、ヘッドホルダ２１の記録部平面は、３点で常に形成され、装置本体が設置面の影響を受けて装置フレームは歪んだ場合であっても、ヘッドホルダ２１へ加わる力を排除して、変形を防止する。
【００５８】
輸送時等は、ヘッドホルダ２１を前フレーム１００ａ側に移動させる。この移動により、リア側の支持点の支持状態を、規制された状態から水平方向（Ｘ軸方向及びＹ軸方向）に移動可能な支持状態に入れ替えることが可能となり、本体フレームが歪んだ場合に発生するヘッドホルダの水平方向の傾きを、大きく許容することで、装置全体を大型化することなく、装置本体フレームの歪みのヘッドホルダヘの影響を排除することができる。
【００５９】
また、支持軸５１を一方向、本実施形態では、前フレーム１００ａ側からアクセスして、ヘッドホルダ２１の本体フレーム１００に対する支持状態を切り換えることができる。これにより、規制された支持状態と、水平方向に移動可能な状態とを容易に切り替えることができ、簡易な作業により切り換えるため、外装パネルを外して、内部における作業がなくなり、作業ミス等の人為的問題のリスクを小さくできる。また、少ない構成部品で実施できるためコストアップも抑制することができる。
【００６０】
尚、本発明では、ヘッドホルダ２１を前フレーム１００ａ側に移動させたが、後フレーム１００ｂ側に移動させてもよい。
【図面の簡単な説明】
【００６１】
【図１】図１は、一実施形態に係る画像記録装置の全体の構成を示す側面図である。
【図２】図２は、画像記録装置の本体フレームの概略的な構成を示す斜視図である。
【図３】図３は、画像記録装置のヘッドホルダの全体的な構成を示す斜視図である。
【図４】図４は、本体フレーム及びヘッドホルダを上から見た上面図である。
【図５】図５は、支持軸における一端側の構成を拡大して示す図である。
【図６】図６（ａ）乃至（ｃ）は、支持軸の他端側の構成を詳細に示した図である。
【図７】図７は、支持リングの周辺の構成を詳細に示した図である。
【図８】図８（ａ）乃至（ｃ）は、支持軸の一端側に設けたハンドルの操作について説明するための図である。
【図９】図９（ａ）乃至（ｆ）は、支持軸の他端側に設けた係止部の位置について説明するための図である。
【図１０】図１０（ａ）乃至（ｄ）は、支持軸の他端側に設けた係止部の位置について説明するための図である。
【図１１】図１１は、支持リングの移動について説明するための図である。
【図１２】図１２は、装置の輸送時における輸送用固定を行うためのビス固定について説明するための図である。
【符号の説明】
【００６２】
１…画像記録装置、２…記録媒体供給部、３…画像記録部、４…搬送機構、５…昇降機構、６…記録媒体排出部、１１…供給トレイ、１２…記録媒体、１３…ピックアップローラ、１４，１４ａ，１４ｂ…レジストローラ対、１５…ベルトプラテン、１６ａ…上レジストガイド、１６ｂ…下レジストガイド、２１…ヘッドホルダ、２１ａ…装着スペース、２２，２２ｋ，２２ｃ，２２ｍ，２２ｙ…記録ヘッド、３０…プラテンフレーム、３１…駆動ローラ、３２…従動ローラ、３３…テンションローラ、３４…ベルト、３６ａ，３６ｂ…吸引フアン、３７…排出ローラ対、３８…収容トレイ、４１，４１ａ，４１ｂ，４１ｃ，４１ｄ…昇降アーム、５１…支持軸、５１ａ…一端、５１ｂ…他端、５２…支持リング、５３…ハンドル、５４…係止部、５４ｂ１、５４ｂ２、５４ｂ３…突起部、５５…先端部、５６…ビス、１００…本体フレーム、１００ａ…フロント側フレーム（前フレーム）、１００ｂ…リア側フレーム（後フレーム）、１００ｃ…ガイドレール、１０１ａ…溝部、１０１ｂ…開口部。
【図１】
2010052177.tif 000003
【図２】
2010052177.tif 000004
【図３】
2010052177.tif 000005
【図４】
2010052177.tif 000006
【図５】
2010052177.tif 000007
【図６】
2010052177.tif 000008
【図７】
2010052177.tif 000009
【図８】
2010052177.tif 000010
【図９】
2010052177.tif 000011
【図１０】
2010052177.tif 000012
【図１１】
2010052177.tif 000013
【図１２】
2010052177.tif 000014